(57)【要約】【課題】粒子を含有する水溶液の計量送達のためによく適した充填弁を提供すること。【解決手段】粒子を含有する液体媒体の流れの計量送達のための充填弁であって：入口開口部および出口開口部を備える流れチャンバを有する弁ハウジング；該出口開口部を開閉するための、該流れチャンバに収容される起動可能な弁体；該弁体を開位置と閉位置との間で移動させるための起動手段を備え；該弁体の壁部分は、該閉位置において該弁ハウジングに提供された座に密封様式で押し付けられ、該弁体は、その底端部にて実質的に円筒形の移動部品を備え、そして該弁ハウジングは、その底端部にて該流れチャンバに隣接する実質的に円筒形の流出管を備え、該移動部品は、該移動部品が該閉位置において該流出管の長さの少なくとも４分の３にわたって該流出管を満たすような様式で、該流出管内に移動可能に精密にフィットし、そして該流出管の長さ対直径の比が１より大きい、充填弁。【選択図】図２
2006240745.tif 000002
【特許請求の範囲】
【請求項１】
粒子を含有する液体媒体の流れの計量送達のための充填弁（１）であって、以下：
入口開口部（２６）および出口開口部（７）を備える流れチャンバ（３）を有する弁ハウジング（２；３１）；
該出口開口部を開閉するための、該流れチャンバ（３）に収容される起動可能な弁体（４；３０）；
該弁体を開位置と閉位置との間で移動させるための起動手段（５）、
を備え；
該弁体（４；３０）の壁部分は、該閉位置において、該弁ハウジング（２；３１）に提供された座（１３）に密封様式で押し付けられ、
該弁体（４）は、その底端部にて、実質的に円筒形の移動部品（４ｃ）を備え、そして該弁ハウジング（２；３１）は、その底端部にて、該流れチャンバ（３）に隣接する実質的に円筒形の流出管（１０；３２）を備え、
該移動部品（４ｃ）は、該移動部品（４ｃ）が、該閉位置において、該流出管の長さの少なくとも４分の３にわたって該流出管（１２；３２）を満たすような様式で、該流出管（１０；３２）内に移動可能に精密にフィットし、そして
該流出管（１０；３２）の長さ対直径の比が、１より大きい、
充填弁。
【請求項２】
前記流出管（１０；３２）の最小長さが、６ｍｍである、請求項１に記載の充填弁。
【請求項３】
前記流出管（１０；３２）の最小長さが、１２ｍｍである、請求項２に記載の充填弁。
【請求項４】
前記流出管（１０；３２）の長さ対直径の比が、１．５より大きい、請求項１〜３のいずれか１項に記載の充填弁。
【請求項５】
前記閉位置において、前記弁体（４；３０）が、前記弁ハウジング（２；３１）に提供される前記座（１３；３４）に密封様式で押し付けられる、請求項１〜４のいずれか１項に記載の充填弁。
【請求項６】
前記起動手段（５）がまた、前記閉位置において、前記弁体（４；３０）の回転移動を引き起こすように設計されている、請求項１〜５のいずれか１項に記載の充填弁。
【請求項７】
前記弁座（３４）が、前記流出管（３２）の底部に提供されている、請求項１〜６のいずれか１項に記載の充填弁。
【請求項８】
前記弁座（１３）が、前記流出管（１０）の頂部に提供されている、請求項１〜６のいずれか１項に記載の充填弁。
【請求項９】
前記流出管（１０；３２）が、前記移動部品（４ｃ）より最大５ｍｍ長い、請求項１〜８のいずれか１項に記載の充填弁。
【請求項１０】
前記移動部品（４ｃ）が、前記閉位置において、前記流出管（１０；３２）を実質的に完全に満たす、請求項１〜９のいずれか１項に記載の充填弁。
【請求項１１】
前記流れチャンバ（３）が、前記入口開口部（２６）を介して、前記媒体を該流れチャンバ（３）に加圧供給するための媒体供給部（２５）と連絡している、請求項１〜１０のいずれか１項に記載の充填弁。
【請求項１２】
前記媒体供給部（２５）が、前記弁体（４；３０）の前記閉位置と前記開位置との両方において、前記流れチャンバ（３）と開口連絡している、請求項１〜１１のいずれか１項に記載の充填弁。
【請求項１３】
粒子を含有する液体媒体、特に、果肉粒子および／または果実の塊を含有する果汁の流れの、容器への計量送達のための、請求項１〜１２のいずれか１項に記載の充填弁（１）の使用。
【請求項１４】
前記流れチャンバ（３）が、前記入口開口部（２６）を介して、前記媒体を該流れチャンバ（３）に加圧供給するための媒体供給部（２５）と連絡している、請求項１３に記載の使用。
【請求項１５】
前記媒体供給部（２５）が、前記弁体（４；３０）の前記閉位置と前記開位置との両方において、前記流れチャンバ（３）と開口流体連絡している、請求項１４に記載の使用。
【請求項１６】
前記媒体が、１ｍＰａｓ〜１００ｍＰａｓの範囲の粘度を有する、請求項１３〜１５のいずれか１項に記載の使用。
【請求項１７】
粒子を含有する液体媒体の流れを容器に充填するための充填デバイスであって、該デバイスは、請求項１〜１２のいずれか１項に記載の充填弁（１）を備え、前記流れチャンバ（３）は、前記入口開口部（２６）を介して、該媒体を該流れチャンバ（３）に加圧供給するための媒体供給部（２５）と連絡しており、該媒体供給部は、該媒体の貯蔵タンクと連絡している、充填デバイス。
【請求項１８】
前記媒体供給部（２５）が、前記弁体（４；３０）の前記閉位置と前記開位置との両方において、前記流れチャンバ（３）と開口連絡している、請求項１７に記載の充填デバイス。
【発明の詳細な説明】
【技術分野】
【０００１】
本発明は、固体粒子を含有する液体媒体の流れの、計量送達のための充填弁に関する。
【背景技術】
【０００２】
多くの種類の充填弁が、先行技術から公知である。多くの場合において、これらの弁は、媒体供給部に接続された流れチャンバを有する、弁ハウジングを備える。この流れチャンバ内に、起動可能な弁体が、このチャンバの底部に提供された出口開口部の開閉のために、収容される。この閉位置において、この弁体の外周壁部分は、この弁ハウジングに提供された座に、密封様式で押し付けられる。
【０００３】
本出願人によって現在使用されている、この型の充填弁に関して、パイプセクションが、この弁ハウジングの底部に提供されている。このことの目的は、充填サイクル後にこのパイプセクションに残っている、あらゆる媒体からの滴下を、毛管作用の結果として防ぐことである。
【０００４】
しかし、この場合、必要に応じて粒子を含有している水溶液に関して、この毛管作用が不十分であり、そして上記設計にもかかわらず滴下が起こることが、欠点である。
【０００５】
さらに、例えば、特許文献１は、低粘度の製品が充填され得る充填弁を開示する。滴下を防止する目的で、その弁体の底部は、この場合において、段状の端部を備え、この端部の直径は、下向きの方向に減少している。
【０００６】
しかし、この場合、粒子を含有する水溶液で容器が満たされる場合に、これらの粒子が詰まり得、その結果、この液体が思わぬ角度で吹き出し得、そして／または噴出し得ることが、欠点である。
【０００７】
さらに、容器を充填するための充填機械が、特許文献２から公知である。この公知の充填機解は、タンクを備え、このタンクは、入口開口部を介して、計量チャンバと連絡している。この計量チャンバは、ピストン／シリンダアセンブリを備える計量機構を備える。この計量チャンバは、出口開口部を有する。このアセンブリは、この入口開口部および出口開口部を開閉するために設計されており、そしてこの目的で、２つの弁要素を備え、これらの弁要素は、この入口開口部が開位置にある場合に、この出口開口部が閉じ、そしてこの出口開口部が開位置にある場合に、この入口開口部が閉じるような様式で、互いに接続されている。このことの目的は、この計量チャンバの出口開口部が開位置にあり、そしてこの充填機械の作用が中断される場合に、このタンクからこの計量チャンバへの漏出を防止することである。１つの実施形態において、この出口開口部は、特定の長さの出口管を備え、この出口管は、閉位置にある場合に、閉鎖要素の移動部品で完全に満たされる。
【０００８】
特許文献３は、流体の計量送達のための充填弁を開示し、この充填弁において、出口は、流体の型に適合される。例えば、発泡性の流体に対しては、流れ低下手段およびジェットを妨害する一連のふるいを備える、幅が広い排出ノズルが提供される。この実施形態は、粒子を含有する液体製品を容器に充填するためには、適切ではない。より濃厚な、より粘性の製品に関しては、供給が妨害される場合に製品の流れを遮断する、閉鎖要素が使用される。
【０００９】
特許文献４は、垂直な流れチャンバを有する充填弁を開示し、この垂直な流れチャンバは、その底部において、中心からずれた位置に、円筒形の流出管を備える。その弁体は、この流出管内でスライド可能な、円筒形の移動部品を備える。その弁ハウジングは、この弁体のための座を有さず、このことは、閉位置において、計量されるべき媒体に対して圧力が付与されないことを示す。この公知の充填弁は、プランジャー充填型のものであり、このプランジャー内に、最初に、この媒体が吸入され、次いで、押し出される。
【００１０】
特許文献５もまた、プランジャー充填型の充填弁を開示し、この充填弁において、媒体は、２つのスリーブの互いに対する相対運動によって、吸引される。これらのスリーブは、この媒体のための貯蔵タンク内に、直接位置決めされる。
【００１１】
特許文献６から、連通管の原理に従って機能する充填弁が公知である。
【００１２】
特許文献７は、（起動手段を有さない）弁体が、注ぎ口が開位置にある場合に、液体の流れの力によって上昇し、そしてその結果、流出管が開放される、充填弁を開示する。閉位置において、液体の流れは存在せず、そして弁体自体の重量に起因して、この弁体は、この流出管内に沈む。
【特許文献１】欧州特許第１０００８９８号明細書
【特許文献２】米国特許第３３４９９７３号明細書
【特許文献３】欧州特許出願公開第０８５０８３８号明細書
【特許文献４】欧州特許出願公開第０５３４９１３号明細書
【特許文献５】独国特許出願公開第１９９１８４３０号明細書
【特許文献６】米国特許第２７７０３９７号明細書
【特許文献７】仏国特許出願公開第６６４６８６号明細書
【発明の開示】
【発明が解決しようとする課題】
【００１３】
本発明の目的は、上述の欠点を少なくとも部分的に排除し、そして／または使用可能な代用品を提供することである。具体的には、本発明の目的は、粒子を含有する水溶液の計量送達のためによく適しており、そして充填弁の入口がこの充填弁への溶液（特に、加圧された溶液）の供給ラインと絶えず開放連絡している場合でさえも、滴下が最小までさらに低下される、信頼性のある充填弁を提供することである。本発明の別の目的は、固体流体を含有する液体媒体の流れの間に、（思わぬ角度で）吹き出ることおよび／または噴出することの危険性を低下させ、そして滴下の危険性を低下させる、一見両立しない下位目的を達成することである。
【課題を解決するための手段】
【００１４】
上記目的は、請求項１による充填弁によって達成される。この場合、この充填弁は、入口開口部および出口開口部を備える流れチャンバを有する、弁ハウジングを備える。起動可能な弁体が、この出口開口部の開閉のために、この流体チャンバ内に収容される。この目的で、この弁体を開位置と閉位置との間で移動させるための起動手段が、提供される。この閉位置において、この弁体の外周壁部分は、この弁ハウジングに提供された座に、密封様式で押し付けられる。この弁体は、その底端部において、実質的に円筒形の移動部品を備え、一方で、この弁ハウジングは、その底端部において、この流れチャンバに隣接する、実質的に円筒形の流出管を備える。この流出管は、この媒体の流れを所望の方向に流出させることを補助する。この流出管は、円筒形の形状を有し、この形状は、衛生の観点から、好ましい。この移動部品は、この流出管内に移動可能に（例えば、スライド可能に）精密にフィットし、そして閉位置にて、この流出管の長さの少なくとも４分の３にわたってこの流出管を満たすように設計される。従って、この弁体が閉位置に移動する場合、この移動部品は、言わば、この流出管を、その長さの少なくとも４分の３を空にする。本発明によれば、長さ対直径の比は、１より大きい。このことは、一方で、噴出を排除し、そして他方で、毛管作用が存在する場合には、わずかな役割しか果たさせずに、滴下を防止し、そしてこの移動部品は、単純な設計のものであり得る。試験により、この充填弁は、粒子を含有する液体媒体（特に、果肉粒子および／または果実の塊を含有する果汁）の流れの計量送達に、非常によく適していることが示された。この場合、これらの果実の塊は、９×９×９ｍｍにまで大きい寸法さえも有し得る。驚くべきことに、閉位置においてさえも、流出開口部の密封が、弁ハウジングの座に押し付けられる弁体の外周壁部分によって達成されるが、流出管の長さは、閉鎖の際の滴下の機会を最小にするため、および分配の間の噴出を防止するために、その直径より大きい必要があることが見出された。このことは、圧力下で計量される、粒子を含有する液体媒体の流れに対して、特に事実である。
【００１５】
好ましい実施形態において、この流出管は、６ｍｍの最小長さ、より好ましくは、１２ｍｍの最小長さを有する。６ｍｍの最小長さは、上記比を条件として、粒子を含有する媒体の流れを使用する際の、噴出の機会を減少させる。
【００１６】
さらなる実施形態において、この流出管の長さ対直径の比は、１より大きく、より具体的には、１．５より大きく、有利には、およそ１．８〜２．０である。
【００１７】
有利な変形物において、上記起動手段は、弁体を開位置と閉位置との間で上下に移動させるために設計されるのみでなく、これらの手段はまた、閉位置において、この弁体の回転運動を引き起こすように設計される。従って、媒体の流れ中の粒子が、解放され得る。果汁中に存在する粒子のような、繊維質の粒子が、考慮され得る。これらの粒子は、弁体と弁ハウジングとの間に詰まり得、そしてそうでなければ、滴下などを引き起こし得る。連続的な回転に加えて、この回転運動はまた、この弁体の長手方向軸の周りでの往復回転を包含し得る。
【００１８】
さらなる実施形態は、従属クレームに規定される。具体的には、上記充填弁は、加圧された媒体の計量のために設計され、ここで、この充填弁の閉位置と開位置との両方において、流れチャンバと媒体供給部との間に開放連絡が存在する。この媒体の加圧された供給を可能にする目的で、ポンプなどが、この媒体供給部において、この媒体の貯蔵タンクとこの流れチャンバの入口との間に提供され得る。流れチャンバ内で絶えず加圧される媒体を用いて、この充填弁を作動させることは、入口において、入口弁が存在する必要がないという利点を有する。さらに、この弁の汚染の危険性が低下する。なぜなら、より少数の部品が、この媒体の流れに接触するからである。
【００１９】
第二の局面によれば、本発明は、請求項１３に規定されるような本発明による充填弁の使用に関する。液体媒体の流れの粘度は、有利には、１ｍＰａｓ〜１００ｍＰａｓの範囲である。１ｍＰａｓの粘度において、この媒体の流れは、噴出の危険が最も高い、低粘度の製品である。１００ｍＰａｓより高い粘度において、その製品は、非常に粘性であるので、毛管作用の結果として、排出管内にくっついたままになる。
【００２０】
さらなる局面によれば、本発明は、粒子を含有する液体媒体の流れで容器を満たすための、充填デバイスに関し、このデバイスは、本発明による充填弁を備え、この充填弁の中で、流れチャンバが、この流れチャンバへの媒体の加圧された供給のために、入口開口部を介して、圧力供給源と連絡する。本発明のこの局面によれば、この充填デバイスは、媒体（例えば、繊維を含有する果汁）の流れの、タンクから流れチャンバへの加圧供給のための圧力供給源を備える。さらに好ましい実施形態において、この供給部は、この弁体の閉位置と開位置との両方において、この流れチャンバと開口連絡したままである。従って、入口開口部を周期的に開閉させるための第二の弁体が、この充填弁には存在しない。この充填デバイスは、ここで、体積または重量によって計量する際に使用され得、ここで、この流れチャンバ内の、容器に満たされるべき媒体は、持続的な圧力下にある。
【００２１】
本発明により、以下が提供される：
（項目１）
粒子を含有する液体媒体の流れの計量送達のための充填弁（１）であって、以下：
入口開口部（２６）および出口開口部（７）を備える流れチャンバ（３）を有する弁ハウジング（２；３１）；
該出口開口部を開閉するための、該流れチャンバ（３）に収容される起動可能な弁体（４；３０）；
該弁体を開位置と閉位置との間で移動させるための起動手段（５）、
を備え；
該弁体（４；３０）の壁部分は、該閉位置において、該弁ハウジング（２；３１）に提供された座（１３）に密封様式で押し付けられ、
該弁体（４）は、その底端部にて、実質的に円筒形の移動部品（４ｃ）を備え、そして該弁ハウジング（２；３１）は、その底端部にて、該流れチャンバ（３）に隣接する実質的に円筒形の流出管（１０；３２）を備え、
該移動部品（４ｃ）は、該移動部品（４ｃ）が、該閉位置において、該流出管の長さの少なくとも４分の３にわたって該流出管（１２；３２）を満たすような様式で、該流出管（１０；３２）内に移動可能に精密にフィットし、そして
該流出管（１０；３２）の長さ対直径の比が、１より大きい、
充填弁。
（項目２）
前記流出管（１０；３２）の最小長さが、６ｍｍである、項目１に記載の充填弁。
（項目３）
前記流出管（１０；３２）の最小長さが、１２ｍｍである、項目２に記載の充填弁。
（項目４）
前記流出管（１０；３２）の長さ対直径の比が、１．５より大きい、項目１〜３のいずれか１項に記載の充填弁。
（項目５）
前記閉位置において、前記弁体（４；３０）が、前記弁ハウジング（２；３１）に提供される前記座（１３；３４）に密封様式で押し付けられる、項目１〜４のいずれか１項に記載の充填弁。
（項目６）
前記起動手段（５）がまた、前記閉位置において、前記弁体（４；３０）の回転移動を引き起こすように設計されている、項目１〜５のいずれか１項に記載の充填弁。
（項目７）
前記弁座（３４）が、前記流出管（３２）の底部に提供されている、項目１〜６のいずれか１項に記載の充填弁。
（項目８）
前記弁座（１３）が、前記流出管（１０）の頂部に提供されている、項目１〜６のいずれか１項に記載の充填弁。
（項目９）
前記流出管（１０；３２）が、前記移動部品（４ｃ）より最大５ｍｍ長い、項目１〜８のいずれか１項に記載の充填弁。
（項目１０）
前記移動部品（４ｃ）が、前記閉位置において、前記流出管（１０；３２）を実質的に完全に満たす、項目１〜９のいずれか１項に記載の充填弁。
（項目１１）
前記流れチャンバ（３）が、前記入口開口部（２６）を介して、前記媒体を該流れチャンバ（３）に加圧供給するための媒体供給部（２５）と連絡している、項目１〜１０のいずれか１項に記載の充填弁。
（項目１２）
前記媒体供給部（２５）が、前記弁体（４；３０）の前記閉位置と前記開位置との両方において、前記流れチャンバ（３）と開口連絡している、項目１〜１１のいずれか１項に記載の充填弁。
（項目１３）
粒子を含有する液体媒体、特に、果肉粒子および／または果実の塊を含有する果汁の流れの、容器への計量送達のための、項目１〜１２のいずれか１項に記載の充填弁（１）の使用。
（項目１４）
前記流れチャンバ（３）が、前記入口開口部（２６）を介して、前記媒体を該流れチャンバ（３）に加圧供給するための媒体供給部（２５）と連絡している、項目１３に記載の使用。
（項目１５）
前記媒体供給部（２５）が、前記弁体（４；３０）の前記閉位置と前記開位置との両方において、前記流れチャンバ（３）と開口流体連絡している、項目１４に記載の使用。
（項目１６）
前記媒体が、１ｍＰａｓ〜１００ｍＰａｓの範囲の粘度を有する、項目１３〜１５のいずれか１項に記載の使用。
（項目１７）
粒子を含有する液体媒体の流れを容器に充填するための充填デバイスであって、該デバイスは、項目１〜１２のいずれか１項に記載の充填弁（１）を備え、前記流れチャンバ（３）は、前記入口開口部（２６）を介して、該媒体を該流れチャンバ（３）に加圧供給するための媒体供給部（２５）と連絡しており、該媒体供給部は、該媒体の貯蔵タンクと連絡している、充填デバイス。
（項目１８）
前記媒体供給部（２５）が、前記弁体（４；３０）の前記閉位置と前記開位置との両方において、前記流れチャンバ（３）と開口連絡している、項目１７に記載の充填デバイス。
【００２２】
粒子を含有する液体媒体の流れの計量送達のための充填弁（１）は、入口開口部（２６）および出口開口部（７）を備える流れチャンバ（３）を有する弁ハウジング（２）、この出口開口部を開閉するための弁体（４）、ならびに弁体（４）を開位置と閉位置との間で移動させるための起動手段（５）を備える。この閉位置において、弁体（４）は、この弁ハウジング内の座（１３）に密封様式で押し付けられる。
【００２３】
弁体（４）は、その底端部にて、実質的に円筒形の移動部品（４ｃ）を備え、そして弁ハウジング（２）は、その底端部にて、実質的に円筒形の流出管（１０）を規定する。ここで、この移動部品が、閉位置にて、この流出管の長さの少なくとも４分の３にわたって流出管（１０）を満たすような様式で、移動部品（４ｃ）が、流出管（１０）内にスライド可能に精密にフィットする。この流出管の長さ対直径の比は、１より大きい。
【発明の効果】
【００２４】
本発明により、上述の欠点が少なくとも部分的に排除され、そして／または使用可能な代用品が提供される。具体的には、本発明により、粒子を含有する水溶液の計量送達のためによく適しており、そして充填弁の入口がこの充填弁への溶液（特に、加圧された溶液）の供給ラインと絶えず開放連絡している場合でさえも、滴下が最小までさらに低下される、信頼性のある充填弁が提供される。さらに、本発明により、固体流体を含有する液体媒体の流れの間に、（思わぬ角度で）吹き出ることおよび／または噴出することの危険性を低下させ、そして滴下の危険性を低下させる、一見両立しない下位目的が達成される。
【発明を実施するための最良の形態】
【００２５】
本発明は、添付の図面を参照して、さらに詳細に説明される。
【００２６】
図１において、充填弁は、参照番号１によって、その全体が示される。充填弁１は、いくつかの部品からなる弁ハウジング２を備える。弁ハウジング２の壁部分は、流れチャンバ３を規定する。流れチャンバ３は、細長い弁体４を収容し、この弁体は、起動手段５によって、弁ハウジング２に対して上下に、開位置と閉位置との間で移動し得る。図１は、閉位置を示し、この閉位置において、流れチャンバ３の底部に提供される出口開口部７は、弁体４によって密封される。流れチャンバ３は、さらに、入口開口部（図１には示さない）を備え、この入口開口部は、液体タンク（図示せず）から流れチャンバ３への、粒子を含有する液体の加圧供給のための、圧力供給部（同様に、図示せず）に隣接する。
【００２７】
弁体４は、棒型の初期部品４ａを備え、この初期部品は、太い中央部品４ｂと合わさり、この中央部品は、次に、円筒形の移動部品４ｃと合わさる。
【００２８】
弁ハウジング２は、その底端部において、円筒形の出口管１０を規定し、この出口管は、その頂端部において、流れチャンバ３に隣接し、そしてその底端部において、出口開口部７を形成する。
【００２９】
移動部品４ｃは、流出管１０内にスライド可能に精密にフィットし、移動部品４ｃの長さは、流出管１０の長さに実質的に対応する。このことにより、移動部品４ｃが、閉位置にある場合に、流出管１０を完全に満たすことを確実にする。
【００３０】
実質的に半径方向に延びる周囲壁部分１２は、中央部品４ｂと移動部品４ｃとの間に位置し、この周囲壁部分１２は、弁体４の閉位置において、密封様式で座１３を軸方向に押し付け、この座は、弁ハウジング２内で、流れチャンバ３から流出管１０への通過の位置に位置する。
【００３１】
流出管１０は、１２ｍｍより大きい長さを有する。さらに、この場合、流出管１０の長さ対直径の比は、１より大きい。流出管１０のこの最小の長さと、最小の長さと直径との間の比は、流体に、弁体４の開位置における所望の流出方向を与え、一方で、噴出を防止し、また閉位置において、滴下を排除する。
【００３２】
使用の際に、弁体４が開位置にある場合、すなわち、移動部品４ｃが流出管１０からいくらかの距離だけ上方にある場合、媒体は、底部において、出口開口部７を介して、弁ハウジング２から排出される。所望の容量の媒体が、このように、出口開口部７を介して充填弁１から排出されるとすぐに、起動手段５が、弁体４を下方に移動させる。この場合、流出管１０は、弁体４の移動部品４ｃによって、空にされる。弁体４の下方への行程の終了時に、上記周囲壁部分１２は、少なくとも部分的に、座１３を半径方向に密封様式で押し付ける。一方で、この状況はまた、移動部品４ｃが流出管１０を完全に空にした場合にももたらされる。
【００３３】
起動手段５は、弁体４を上下に移動させるために設計されるのみでなく、弁ハウジング２に対して弁体４を回転させることがまた可能である。閉位置において、起動手段５を適切に駆動することにより、弁体４を回転させること、または回転運動を実施させることによって、閉鎖プロセスの間に、弁体４と弁ハウジング２との間に詰まった媒体の流れ中に存在する任意の粒子が、依然として解放され得、従って、弁ハウジング２内での弁体４の良好な密封をもはや妨げず、そして滴下などを引き起こさない。
【００３４】
図２は、変形物を示し、この図において、同じ部品は、同じ参照番号によって示される。ここでの重要な差異は、移動部品２１がもはや排出管２２ではないことである。図２はまた、閉位置を示し、ここで、最小の空いた空間のみが、長さの差の結果として、移動部品２１の底部において、排出管２２に残る。移動部品２１の端部は、この場合、円錐形の設計である。この長さの差は、移動部品２１が、流出管２２の長さの少なくとも４分の３になるようなさである。さらに、流出管２２の長さは、この場合にもまた、少なくとも１２ｍｍであり、具体的には、約１８ｍｍであるが、一方で、出口開口部７の直径は、この場合にもまた、流出管２２の長さ対直径の比が１より大きくなるように、選択される。具体的には、図２において、この比は、約１．４である。排出管２２の底部に空いたままである最小の空間の長さは、この場合、０ｍｍと５ｍｍとの間であり、より具体的には、この長さは、約３ｍｍである。
【００３５】
さらに、図２は、圧力供給部２５を示し、この圧力供給部の一端は、流れチャンバ３の入口開口部２６内に延び、そして弁体４の全ての位置において、流れチャンバ３と開放連絡したままである。他端は、タンク（図示せず）と連絡している。
【００３６】
最後に、図２の変形物に関して、弁体４の中央部品４ｂが、案内フィン２８を備えることもまた、重要である。これらのフィンは、流れチャンバ３内で弁体４を中心に合わせる役に立つ。
【００３７】
図３は、充填弁の底部の、移動部品の位置におけるさらなる変形物を示す。この場合、棒型の弁体３０が提供され、この弁体の底端部は、円筒形の移動部品を形成する。さらに、弁ハウジング３１が提供され、このハウジングは、その底端部にて、円筒形の流出管３２を規定する。流出管３２は、弁ハウジング３１の壁部分３４によって、底部に規定され、この壁部分３４は、半径方向内向きに突出し、そして座を形成し、閉位置において、この座に対して、弁体３０の底端部３５が、密封様式で押し付けられる。従って、弁体３０の移動部品が、閉位置において流出管を少なくとも４分の３まで満たすために、流出管３２内にスライド可能に精密にフィットしている充填弁もまた、提供される。
【００３８】
図４は、さらなる変形物を示し、弁体３０は、その底端部にて、狭い端部分３６を備え、この端部分は、閉位置において、弁ハウジングの底部を越えて延びる。このことは、有利なことに、流出管の底端部にさらなる空いた空間が残されないことを確実にし、その結果、この流出管は、閉鎖運動の間に完全に空にされる。
【００３９】
多くの変形物が、示される実施形態に加えて、可能である。従って、この充填弁の種々の構成要素は、異なる設計のものであり得、そして／または異なる相対的割合で構築され得る。
【００４０】
従って、開位置において、精密に計量され得る媒体の非常に安定な、方向付けられた流れを排出し得、一方で、閉位置において、滴下を効率的に防止し得る、充填弁が提供される。この充填弁は、有利には、単純な設計のものであり、そして製造が安価である。最後に、この充填弁は、その単純な設計に起因して、清浄化が容易である。
【図面の簡単な説明】
【００４１】
【図１】図１は、本発明による充填弁の第一の実施形態の断面図を示す。
【図２】図２は、図１の第二の実施形態による図を示す。
【図３】図３は、充填弁の変形物の底端部の部分図を示す。
【図４】図４は、図３のさらなる変形物による部分図を示す。
【符号の説明】
【００４２】
１  充填弁
２  弁ハウジング
３  流れチャンバ
４  弁体
５  起動手段
７  出口開口部
１０  流出管
１３  座
２６  入口開口部
【図１】
2006240745.tif 000003
【図２】
2006240745.tif 000004
【図３】
2006240745.tif 000005
【図４】
2006240745.tif 000006